(57)【要約】【課題】  オンライン証券取引で、投資家側によるユーザ端末の入力ミスを防止する証券取引用ＩＣカード及びオンライン証券取引システムを提供することを目的とする。【解決手段】  ＩＣカードは、パスワード情報、仮注文データ、コード情報とを記憶する記憶手段と、認証処理手段とを有し、ＩＣカードリーダライタを備えたユーザ端末は、入力手段と、入力されたパスワード情報をＩＣカードに送信すると共に、ＩＣカードから認証結果情報を受信する手段と、認証結果情報を受信した場合に、ＩＣカードリーダによりＩＣカードからパスワード情報、仮注文データ、コード情報とを読み取る手段と、読み取った情報、データとをオンライン証券取引サーバに送信する手段を有し、オンライン証券取引サーバは、会員情報データベースと、ユーザ端末から受信したパスワード情報と関係付けてコード情報を会員情報データベースに登録する手段とを有する。【選択図】        図1
2008083880.tif 000002
【特許請求の範囲】
【請求項１】
証券のオンライン取引に用いる証券取引用ＩＣカードであって、
前記ＩＣカードの記憶手段に、証券のオンライン取引を行う際に証券会社のサーバに送信する情報を記憶させておくための記憶エリアを有することを特徴とする証券取引用ＩＣカード。
【請求項２】
前記証券会社のサーバに送信する情報が、仮注文データであることを特徴とする請求項１記載の証券取引用ＩＣカード。
【請求項３】
前記証券会社のサーバに送信する情報が、ＩＣカード保有者の興味がある商品コード又は指標コードからなるコード情報であることを特徴とする請求項１記載の証券取引用ＩＣカード。
【請求項４】
証券のオンライン取引に用いるＩＣカードと、ＩＣカードリーダを備えたユーザ端末と、前記ユーザ端末にオンライン接続されたオンライン証券取引サーバとからなるオンライン証券取引システムであって、
前記ＩＣカードは、ＩＣカード保有者のパスワード情報と、仮注文データと、ＩＣカード保有者の興味がある商品コード又は指標コードからなるコード情報とを記憶する記憶手段と、前記パスワード情報に基づき認証処理を行う認証処理手段とを有し、
前記ＩＣカードリーダライタを備えたユーザ端末は、パスワードを入力する入力手段と、前記入力手段で入力されたパスワード情報を前記ＩＣカードに送信すると共に、前記ＩＣカードから認証結果情報を受信する手段と、前記ＩＣカードから認証が受けられたことを示す認証結果情報を受信した場合に、前記ＩＣカードリーダにより前記ＩＣカードからパスワード情報と、仮注文データと、ＩＣカード保有者の興味がある商品コード又は指標コードからなるコード情報とを読み取る手段と、前記パスワード情報と、前記仮注文データと、前記ＩＣカード保有者の興味がある商品コード又は指標コードからなるコード情報とを、前記オンライン証券取引サーバに送信する手段を有し、
前記オンライン証券取引サーバは、証券のオンライン取引を行うことができる会員情報を登録する会員情報データベースと、前記ユーザ端末から受信したパスワード情報と関係付けて、前記商品コード又は指標コードからなるコード情報を会員情報データベースに登録する手段とを有することを特徴とするオンライン証券取引システム。
【発明の詳細な説明】
【技術分野】
【０００１】
本発明は、証券のオンライン取引に用いる証券取引用ＩＣカードと、証券のオンライン取引を行うためのオンライン証券取引システムに関する。
【背景技術】
【０００２】
インターネットの普及によりネットワーク上で有価証券の売買を行わせるオンライン証券取引が行われ、オンライン証券取引に関するシステムなどの技術も公知となっている。（例えば、特許文献１、参照）
これらのオンライン証券取引は、投資家が有するパーソナルコンピュータなどのユーザ端末を利用して、有価証券の買い注文や売り注文を証券会社のサーバに行うことで、短時間で効率的に処理でき、また気軽に売買を行えることなどから有価証券の売買に慣れていない主婦層などの利用者が増える傾向にある。
【０００３】
【特許文献１】特開２００２−２４５２５１号公報
【０００４】
しかしながら、オンライン証券取引では、投資家側によるユーザ端末の操作ミスや入力ミスなどにより、思いもよらない損害が発生することも考えられるという問題がある。
例えば、ユーザ端末のキーボードで、証券コードや売買数などを入力する際に、気をつけていてもうっかり入力キーを間違えることは誰でも起こりうることであるという問題がある。
。
【発明の開示】
【発明が解決しようとする課題】
【０００５】
本発明は、上記の問題点を解決するために、オンライン証券取引において、投資家側によるユーザ端末の操作ミスや入力ミスなどで、思いもよらない損害が発生することを防止できるようにした証券取引用ＩＣカード及びオンライン証券取引システムを提供することを目的とする。
【課題を解決するための手段】
【０００６】
本発明の証券取引用ＩＣカードは、証券のオンライン取引に用いる証券取引用ＩＣカードであって、前記ＩＣカードの記憶手段に、証券のオンライン取引を行う際に証券会社のサーバに送信する情報を記憶させておくための記憶エリアを有することを特徴とする。
【０００７】
また、本発明の証券取引用ＩＣカードは、前記証券会社のサーバに送信する情報が、仮注文データであることを特徴とする。
【０００８】
更に、本発明の証券取引用ＩＣカードは、前記証券会社のサーバに送信する情報が、ＩＣカード保有者の興味がある商品コード又は指標コードからなるコード情報であることを特徴とする。
【０００９】
また、本発明のオンライン証券取引システムは、証券のオンライン取引に用いるＩＣカードと、ＩＣカードリーダを備えたユーザ端末と、前記ユーザ端末にオンライン接続されたオンライン証券取引サーバとからなるオンライン証券取引システムであって、前記ＩＣカードは、ＩＣカード保有者のパスワード情報と、仮注文データと、ＩＣカード保有者の興味がある商品コード又は指標コードからなるコード情報とを記憶する記憶手段と、前記パスワード情報に基づき認証処理を行う認証処理手段とを有し、前記ＩＣカードリーダライタを備えたユーザ端末は、パスワードを入力する入力手段と、前記入力手段で入力されたパスワード情報を前記ＩＣカードに送信すると共に、前記ＩＣカードから認証結果情報を受信する手段と、前記ＩＣカードから認証が受けられたことを示す認証結果情報を受信した場合に、前記ＩＣカードリーダにより前記ＩＣカードからパスワード情報と、仮注文データと、ＩＣカード保有者の興味がある商品コード又は指標コードからなるコード情報とを読み取る手段と、前記パスワード情報と、前記仮注文データと、前記ＩＣカード保有者の興味がある商品コード又は指標コードからなるコード情報とを、前記オンライン証券取引サーバに送信する手段を有し、前記オンライン証券取引サーバは、証券のオンライン取引を行うことができる会員情報を登録する会員情報データベースと、前記ユーザ端末から受信したパスワード情報と関係付けて、前記商品コード又は指標コードからなるコード情報を会員情報データベースに登録する手段とを有することを特徴とする。
【発明の効果】
【００１０】
したがって、本発明の証券取引用ＩＣカードは、記憶手段に、証券のオンライン取引を行う際に証券会社のサーバに送信する情報を記憶させておくための記憶エリアを有しているので、ユーザ端末でオンライン証券取引サーバとアクセスする前の段階に、予め証券会社のサーバに送信する情報を記憶手段に記憶させておくことができるので、オンライン証券取引において、投資家側によるユーザ端末の操作ミスや入力ミスなどで、思いもよらない損害が発生することを防止できるという効果がある。
【００１１】
また、本発明の証券取引用ＩＣカードは、ユーザ端末でオンライン証券取引サーバとアクセスする前の段階に、証券取引用ＩＣカードの記憶手段に仮注文データを記憶させておけるので、ユーザ端末でオンライン証券取引サーバに注文処理を行う場合でも、投資家側によるユーザ端末の操作ミスや入力ミスなどで、思いもよらない損害が発生することを防止できるという効果がある。
【００１２】
更に、本発明の証券取引用ＩＣカードは、記憶手段にＩＣカード保有者の興味がある商品コード又は指標コードからなるコード情報が記憶されているので、ユーザ端末でオンライン証券取引サーバに商品コード又は指標コードからなるコード情報を間違えることなく送信できるという効果がある。
【００１３】
また、本発明のオンライン証券取引システムは、ＩＣカードの記憶手段に、ＩＣカード保有者のパスワード情報と、仮注文データと、ＩＣカード保有者の興味がある商品コード又は指標コードからなるコード情報とを記憶させておき、ユーザ端末からオンライン証券取引サーバに情報やデータを送信する際に、ＩＣカードの記憶手段に記憶された情報やデータを送信するので、投資家側によるユーザ端末の操作ミスや入力ミスなどで、思いもよらない損害が発生することを防止できるという効果がある。
【発明を実施するための最良の形態】
【００１４】
以下、本発明の実施の形態を図面に基づいて詳細に説明する。
図１は、本発明の実施形態に係るオンライン証券取引システムの概要を説明する図、図２は、本発明の実施形態に係るオンライン証券取引システムの構成を説明する図、図３は、本発明の実施形態に係る証券取引用ＩＣカードの平面図、図４は、本発明の実施形態に係る証券取引用ＩＣカードのブロック図、図５は、本発明の実施形態に係るオンライン証券取引システムのシステム構成を説明するブロック図、図６は、本発明の実施形態に係るオンライン証券取引システムの処理手順を示すフローチャート図である。
【００１５】
本発明の実施形態に係るオンライン証券取引システムは、図１に示すように、証券会社などが管理するオンライン証券取引サーバにアクセスして、証券のオンライン取引を行うユーザ１が、ユーザ端末を利用してオンライン取引を行う際に、取引情報などをユーザ端末から入力して送信するのではなく、ユーザ端末から入力した取引情報などを一旦、証券会社がユーザに対して発行した証券カードである証券取引用ＩＣカード（以下、ＩＣカードとも言う）に記憶させ、オンライン証券取引サーバにそれらの情報を送信する際に、そのＩＣカードに記憶させた情報を読み取って送信させるようにしてある。
つまり、送信情報を一旦、ＩＣカードに記憶させることで、情報の送信間違えを防止できるようにしてある。
【００１６】
更に、ユーザであるＩＣカード保有者の興味がある商品コード又は指標コードからなるコード情報も、随時ＩＣカードに記憶させ、必要に応じてオンライン証券取引サーバに送信する際に、そのＩＣカードに記憶させた情報を読み取って送信し、オンライン証券取引サーバ側に設けられた会員情報データベースの情報を更新できるようにしてある。
これにより、ユーザにとって興味がある最新の商品コード又は指標コードに基づき、証券会社側からユーザにそれらの関連情報を配信するなどのサービスができるようにしてある。
【００１７】
本発明の実施形態に係るオンライン証券取引システムは、図２に示すように、証券のオンライン取引に用いるＩＣカード１と、ＩＣカードリーダ２を備えたユーザ端末３と、ネットワーク４を介してユーザ端末３とオンライン接続されたオンライン証券取引サーバ５とからなる。
【００１８】
ＩＣカード１は、図３及び図４に示すように、ＩＣチップが内蔵されたＩＣモジュール６がカード基材に埋設されている。
そして、図４に示すように、ＩＣモジュール６に内臓されたＩＣチップには、ＣＰＵ７、揮発性メモリ（ＲＡＭ）８、書き換え可能な不揮発性メモリ（ＥＥＰＲＯＭ）９、読み出し専用メモリ（ＲＯＭ）１０が備えられている。
また、更にＩＣモジュール６には、電源電圧を供給するＶＣＣ端子１１、接地用のＧＮＤ端子１２、リセット信号を供給するＲＳＴ端子１３、クロック信号を供給するＣＬＫ端子１４、データ入出力用のＩ／Ｏ端子１５が備えられている。
【００１９】
そして、ＩＣモジュール６のＩＣチップにおいて、ＥＥＰＲＯＭ９には、パスワード情報を記憶するパスワード情報記憶エリア１６ａと、仮注文データを記憶する仮注文データ記憶エリア１６ｂと、ＩＣカード保有者の興味がある商品コード又は指標コードからなるコード情報を記憶するコード情報記憶エリア１６ｃと、カード固有情報を記憶するカード固有情報記憶エリア１６ｄとが設けられている。
ここで、パスワード情報記憶エリア１６ａに登録されているパスワード情報と、カード固有情報記憶エリア１６ｄに記憶されているカード固有情報とは、証券会社がＩＣカード１の発行を行う際に予め登録させておく。
また、その他の仮注文データ記憶エリア１６ｂ、コード情報記憶エリア１６ｃの各記憶エリアの登録する情報については、ＩＣカード保有者自身がユーザ端末を操作して登録させる。
【００２０】
また、読み出し専用メモリ（ＲＯＭ）１０には、ＩＣカード１内においてパスワード情報に基づく照合処理を行うための処理プログラムが搭載されている。
これにより、ユーザ端末３で入力され、ユーザ端末３からＩＣカードリーダライタ２を介してＩＣカード１に送信されたパスワード情報と、ＩＣカード１のＥＥＰＲＯＭ９のパスワード情報記憶エリア１６ａに登録されているパスワード情報との照合処理が行われ、照合一致した場合に認証が受けられる。
【００２１】
次に、本発明の実施形態に係るオンライン証券取引システムのシステム構成を、図５に基づいて説明する。
ユーザ端末３のＩＣカードリーダ２には、ＩＣカード１からデータを読み取るデータ読取手段２０と、ＩＣカード１にデータを書き込むデータ書込手段２１とが備えられ、データ読取手段２０で読み取ったデータをユーザ端末３に送信し、また、ユーザ端末３から受信したデータをＩＣカード１に書き込めるように構成されている。
【００２２】
また、ユーザ端末３は、インターフェース２２，２３、表示手段２４、通信手段２５、入力手段２６、記憶手段２７、制御手段２８などが備えられている。
【００２３】
そして、オンライン証券取引サーバは、通信手段２９、カード認証手段３０、記憶手段３１、登録手段３２、制御手段３３、会員情報データベース３４などが備えられている。
カード認証手段３０は、ユーザ端末３から受信したカード固有情報に基づき、カードの認証処理を行なう。
登録手段３２は、カード認証手段３０でカード認証が受けられた場合に、ユーザ端末３から受信した商品コード又は指標コードからなるコード情報を、パスワードに関係付けて会員情報データベース３４に登録させる機能を有する。
つまり、ＩＣカード１の記憶手段に一旦記憶された商品コード又は指標コードからなるコード情報を、パスワードに関係付けて会員情報データベース３４に登録できるように構成されている。
【００２４】
次に、本発明の実施形態に係るオンライン証券取引システムの処理手順を、図５に示すフローチャート図に基づいて説明する。
証券のオンライン取引を行う利用者は、まず、ユーザ端末３のＩＣカードリーダライタ２のカード挿入口に、ＩＣカード１を挿入してセットする。（ステップＳ１）
次に、利用者は、ユーザ端末３の入力手段により、パスワードを入力する。（ステップＳ２）
そして、ユーザ端末３に入力されたパスワードは、ＩＣカードリーダライタ２を介してＩＣカード１に送られる。（ステップＳ３）
ＩＣカード１内において、ユーザ端末３に入力されたパスワードと、ＩＣカード１の記憶手段に予め記憶されているパスワード情報とが照合処理される。（ステップＳ４）
【００２５】
ＩＣカード１内で照合処理された認証結果情報は、ＩＣカードリーダライタ２を介してユーザ端末３へと送られる。（ステップＳ５）
ユーザ端末３は、受信した認証結果情報で、カード保有者の認証が受けられた場合にＩＣカードリーダライタ２を介してＩＣカード１の記憶手段に記憶されている仮注文データと、ＩＣカード保有者の興味がある商品コード又は指標コードからなるコード情報と、カード固有情報の読み取りを行う。（ステップＳ６）
【００２６】
そして、ユーザ端末３からオンライン証券取引サーバ５に対して、パスワードと、仮注文データと、ＩＣカード保有者の興味がある商品コード又は指標コードからなるコード情報と、カード固有情報とが送信される。（ステップＳ７）
オンライン証券取引サーバ５は、ユーザ端末３から受信したカード固有情報に基づき、カードの認証処理が行われる。（ステップＳ８）
【００２７】
そして、オンライン証券取引サーバ５は、カード認証が受けられた場合に、ユーザ端末３から受信した商品コード又は指標コードからなるコード情報を、パスワードに関係付けて会員情報データベース３４に登録させる。（ステップＳ９）
更に、オンライン証券取引サーバ５は、ユーザ端末３から受信した仮注文データに基づいて仮注文の処理を行う。（ステップＳ１０）
【００２８】
本発明の実施形態に係るオンライン証券取引システムは、ユーザ端末３からオンライン証券取引サーバ５に送信する情報を、一旦ＩＣカード１の記憶手段に記憶させ、そして、送信する際には、ＩＣカードリーダライタ２でＩＣカード１からそれらの情報を読み取ってからオンライン証券取引サーバ５に送信することができるので、オンライン証券取引において、投資家側によるユーザ端末の操作ミスや入力ミスなどで、思いもよらない損害が発生することを防止できるようにしてある。
【図面の簡単な説明】
【００２９】
【図１】本発明の実施形態に係るオンライン証券取引システムの概要を説明する図である。
【図２】本発明の実施形態に係るオンライン証券取引システムの構成を説明する図である。
【図３】本発明の実施形態に係る証券取引用ＩＣカードの平面図である。
【図４】本発明の実施形態に係る証券取引用ＩＣカードのブロック図である。
【図５】本発明の実施形態に係るオンライン証券取引システムのシステム構成を説明するブロック図である。
【図６】本発明の実施形態に係るオンライン証券取引システムの処理手順を示すフローチャート図である。
【符号の説明】
【００３０】
１  ＩＣカード
２  ＩＣカードリーダ
３  ユーザ端末
４  ネットワーク
５  オンライン証券取引サーバ
６  ＩＣモジュール
７  ＣＰＵ
８  揮発性メモリ（ＲＡＭ）
９  書き換え可能な不揮発性メモリ（ＥＥＰＲＯＭ）
１０  読み出し専用メモリ（ＲＯＭ）
１１  ＶＣＣ端子
１２  接地用のＧＮＤ端子
１３  ＲＳＴ端子
１４  ＣＬＫ端子
１５  Ｉ／Ｏ端子
１６ａ  パスワード情報記憶エリア
１６ｂ  仮注文データ記憶エリア
１６ｃ  コード情報記憶エリア
１６ｄ  カード固有情報記憶エリア
２２，２３  インターフェース
２４  表示手段
２５，２９  通信手段
２６  入力手段
２７，３１  記憶手段
２８，３３  制御手段
３０  カード認証手段
３２  登録手段
３４  会員情報データベース
【図１】
2008083880.tif 000003
【図２】
2008083880.tif 000004
【図３】
2008083880.tif 000005
【図４】
2008083880.tif 000006
【図５】
2008083880.tif 000007
【図６】
2008083880.tif 000008